(57)【要約】【課題】光学部材の離脱を抑制できる照明器具を提供する。【解決手段】照明器具１は、灯体１０と、灯体１０から出射された光が入射される透光性の光学部材３０と、光学部材３０から出射された光が入射される入射開口部４１１、及び、入射開口部４１１から入射された光が出射される出射開口部４１２を有する筒状の枠体４０とを備え、灯体１０は、器具本体１１と、器具本体１１に取り付けられた光源１２と、光源１２からの光を光学部材３０に向けて反射させる反射部材１６とを備え、灯体１０には、光学部材３０を係止する第一係止部１６６が設けられ、光学部材３０には、第一被係止部３１１が設けられ、光学部材３０は、第一被係止部３１１が第一係止部１６６に係止されることによって灯体１０に支持され、光学部材３０を光源１２の光軸Ｊ方向に見た場合に、光学部材の外縁３１５の少なくとも一部は、入射開口部４１１の外側に位置する。【選択図】図４
2017004823.tif 000002
【特許請求の範囲】
【請求項１】
灯体と、
前記灯体から出射された光が入射される透光性の光学部材と、
前記光学部材から出射された光が入射される入射開口部、及び、前記入射開口部から入射された光が出射される出射開口部を有する筒状の枠体とを備え、
前記灯体は、器具本体と、当該器具本体に取り付けられた光源と、当該光源からの光を前記光学部材に向けて反射させる反射部材とを備え、
前記灯体には、前記光学部材を係止する第一係止部が設けられ、
前記光学部材には、第一被係止部が設けられ、
前記光学部材は、前記第一被係止部が前記第一係止部に係止されることによって前記灯体に支持され、
前記光学部材を前記光源の光軸方向に見た場合に、前記光学部材の外縁の少なくとも一部は、前記入射開口部の外側に位置する
照明器具。
【請求項２】
前記灯体は、前記光源の位置を規制する取付部材をさらに備え、
前記取付部材には、前記反射部材を係止する第二係止部が設けられ、
前記第一係止部は、前記反射部材に設けられ、
前記反射部材には、前記第二係止部に係止される第二被係止部が設けられ、
前記反射部材は、前記第二被係止部が前記第二係止部に係止されることによって前記取付部材に支持される
請求項１に記載の照明器具。
【請求項３】
前記第一係止部及び前記第二係止部の少なくとも一方は樹脂で形成される
請求項２に記載の照明器具。
【請求項４】
前記反射部材を前記光軸方向に見た場合に、前記反射部材の外縁は、前記入射開口部の外側に位置する
請求項１〜３のいずれか１項に記載の照明器具。
【請求項５】
前記光学部材はフレネルレンズである
請求項１〜４のいずれか１項に記載の照明器具。
【発明の詳細な説明】
【技術分野】
【０００１】
本発明は、透光性の光学部材を備える照明器具に関する。
【背景技術】
【０００２】
従来、照明器具として、例えば、ダウンライトのように天井などの被取付部に埋め込み配設されて下方に光を照射する天井埋込型照明器具などが知られている（例えば、特許文献１）。
【０００３】
特許文献１に開示された照明器具は、ＬＥＤ（Ｌｉｇｈｔ  Ｅｍｉｔｔｉｎｇ  Ｄｉｏｄｅ）からなる光源と、光源から出射された光を内面の反射面で所定の方向へ反射させて出射する反射部材と、光源からの光の配光を制御する透光性の光学部材とを備える。さらに、特許文献１に開示された照明器具は、光源及び反射部材を支持する器具本体を備える。反射部材は、光源からの光が入射される入射開口部、及び、入射された光が出射される出射開口部を有する筒状の部材である。光学部材は、反射部材の出射開口部に配置され、照明器具の配光を制御する。
【先行技術文献】
【特許文献】
【０００４】
【特許文献１】特開２０１５−０８８３４９号公報
【発明の概要】
【発明が解決しようとする課題】
【０００５】
特許文献１に開示された照明器具では、反射部材は、レンズを係止するための係止爪を備える。これにより、レンズを反射部材に容易に取り付けることができる。
【０００６】
しかしながら、特許文献１に開示された照明器具では、天井等の被取付部に取付けた状態において、レンズなどの構成部材が離脱（落下）するおそれがあることがわかった。
【０００７】
発明者らは、その原因について検討した結果、レンズを係止するための係止爪が樹脂で形成されているため、照明器具の搬送中の振動、照明器具の施工作業中に受けるストレスなどに起因して、係止爪が破損する場合があることを見出した。さらに、発明者らは、光源のＬＥＤ化による照明器具の寿命の長期化に伴い、樹脂の経年劣化によって係止部が破損する場合があることも見出した。
【０００８】
そこで、本発明は、光学部材の離脱を抑制できる照明器具を提供する。
【課題を解決するための手段】
【０００９】
上記課題を解決するために、本発明に係る照明器具の一態様は、灯体と、灯体から出射された光が入射される透光性の光学部材と、光学部材から出射された光が入射される入射開口部、及び、入射開口部から入射された光が出射される出射開口部を有する筒状の枠体とを備え、灯体は、器具本体と、器具本体に取り付けられた光源と、光源からの光を光学部材に向けて反射させる反射部材とを備え、灯体には、光学部材を係止する第一係止部が設けられ、光学部材には、第一被係止部が設けられ、光学部材は、第一被係止部が第一係止部に係止されることによって灯体に支持され、光学部材を光源の光軸方向に見た場合に、光学部材の外縁の少なくとも一部は、入射開口部の外側に位置する。
【発明の効果】
【００１０】
本発明によれば、光学部材の離脱を抑制できる照明器具を提供することができる。
【図面の簡単な説明】
【００１１】
【図１】図１は、実施の形態に係る照明器具の外観を示す斜視図である。
【図２】図２は、実施の形態に係る照明器具の分解斜視図である。
【図３】図３は、実施の形態に係る照明器具の断面図である。
【図４】図４は、実施の形態に係る照明器具の断面の要部拡大図である。
【図５】図５は、実施の形態に係る取付部材と反射部材との間の係止構成を示す斜視図である。
【図６】図６は、実施の形態に係る反射部材に光学部材が係止された状態を示す斜視図である。
【図７】図７は、実施の形態に係る反射部材に光学部材が係止された状態を光軸方向から見た平面図である。
【図８】図８は、実施の形態に係る反射部材及び光学部材の断面図である。
【発明を実施するための形態】
【００１２】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態）
［１．構成］
まず、実施の形態に係る照明器具の構成について、図１〜４を用いて説明する。
【００１５】
図１は、本実施の形態に係る照明器具１の外観を示す斜視図である。
【００１６】
図２は、本実施の形態に係る照明器具１の分解斜視図である。
【００１７】
図３は、本実施の形態に係る照明器具１の断面図である。
【００１８】
図４は、本実施の形態に係る照明器具１の断面の要部拡大図である。図４には、図３に示される断面図の破線枠内が拡大して示されている。
【００１９】
図１〜４に示されるように、照明器具１は、灯体１０、光学部材３０及び枠体４０を備える。灯体１０は、主に、器具本体１１、光源１２、取付部材１３、接続部材１４、反射部材１６を備える。以下、照明器具１の各構成要素について説明する。
【００２０】
［１−１．器具本体］
器具本体１１は、光源１２を内部で支持する部材である。本実施の形態では、器具本体１１は、光源１２が取り付けられる取付台である。器具本体１１は、取付部１１０ａ、筒状部１１０ｂ及び複数のフィン１１１を備える。
【００２１】
取付部１１０ａは、光源１２が取り付けられる台状の部分である。筒状部１１０ｂは、取付部１１０ａの周縁に設けられる筒状の部分であり、光源１２を囲む。筒状部１１０ｂのＹ軸方向負側には、枠体４０が取り付けられる。枠体４０は、器具本体１１にねじ５０を用いて締結される。具体的には、枠体４０のＹ軸方向正側端部には、ねじ穴（不図示）が設けられており、当該ねじ穴に捻じ込まれたねじ５０の頭部分と枠体４０とで器具本体１１が挟まれる。これにより、枠体４０は、器具本体１１に締結される。複数のフィン１１１は、光源１２で発生する熱を放熱する部分である。複数のフィン１１１は、取付部１１０ａのＹ軸方向正側に形成される。
【００２２】
器具本体１１は、金属材料を用いて形成される。器具本体１１は、例えばアルミダイカスト工程を経て形成される。
【００２３】
［１−２．光源］
光源１２は、ＬＥＤを有する発光モジュールであって、所定の光を放射状に出射するＬＥＤ光源である。光源１２は、例えば白色光を出射するように構成されている。光源１２は、ＣＯＢ（Ｃｈｉｐ  Ｏｎ  Ｂｏａｒｄ）型ＬＥＤで構成され、基台１２０と、基台１２０上に実装されたベアチップ（ＬＥＤチップ）である複数のＬＥＤ１２１と、それらＬＥＤ１２１を封止し、蛍光体を含む封止部材とを備える。なお、本実施の形態では、封止部材は全てのＬＥＤ１２１を一括封止しているが、封止部材の構成はこれに限られない。ライン状に配列されたＬＥＤ１２１の配列方向に沿って複数本のライン状に封止部材を形成する構成としてもよい。
【００２４】
光源１２は、器具本体１１の取付部１１０ａに取り付けられる。図１〜４に示される照明器具１において、光源１２の光軸Ｊは鉛直方向（図のＹ軸方向）である。
【００２５】
基台１２０は、複数のＬＥＤ１２１を実装するための実装基板であって、例えばセラミックス基板、樹脂基板又は絶縁被覆されたメタルベース基板などである。また、基台１２０は、例えば平面視において矩形形状である平面を有する板状であり、基台１２０の底面（図２の上側）が器具本体１１に取り付けられて固定される。なお、図示しないが、基台１２０には、ＬＥＤ１２１（光源１２）を発光させるための直流電力を外部から受電するための一対の電極端子（正電極端子及び負電極端子）が形成されている。
【００２６】
［１−３．反射部材］
反射部材１６は、光源１２からの光を光学部材３０に向けて反射させる部材である。反射部材１６は、開口１６０が形成された略筒状の形状を有する。反射部材１６は、中央部１６１、フランジ部１６２及び立設部１６３を備える。
【００２７】
中央部１６１は、図４に示されるように、光源１２からの光が入射される側の端部から、当該光が出射される側の端部に向かって内径が漸次大きくなるように構成された略筒状の形状を有する。中央部１６１の内面において、光源１２からの光が反射される。
【００２８】
フランジ部１６２は、中央部１６１の光が出射される側の端部に設けられ、略円環状の形状を有する。フランジ部１６２には、光学部材３０が配置される。このように配置されることにより、反射部材１６から出射された光が、光学部材３０に入射される。フランジ部１６２には、光学部材３０を係止する第一係止部（図１〜４においては図示せず）が設けられる。一方、光学部材３０には、第一被係止部が設けられ、光学部材３０は、第一被係止部が反射部材１６の第一係止部に係止されることによって灯体１０に支持される。第一係止部及び第一被係止部については後で詳述する。
【００２９】
立設部１６３は、フランジ部１６２の光源１２側に配置され、略光軸Ｊ方向（Ｙ軸方向）に立設されている。立設部１６３には、取付部材１３に係止される第二被係止部１６４が設けられている。本実施の形態では、第二被係止部１６４は、立設部１６３に設けられた貫通孔である。
【００３０】
反射部材１６は、例えばポリブチレンテレフタレート（ＰＢＴ）、ポリカーボネートなど硬質の白色樹脂材料を用いて形成することができる。
【００３１】
［１−４．取付部材］
取付部材１３は、光源１２を器具本体１１に取り付けるための部材である。取付部材１３は、規制部１３０及び第二係止部１３１を備える。
【００３２】
規制部１３０は、光源１２の光軸Ｊに垂直な方向（Ｘ軸方向及びＺ軸方向）の位置を規制する。規制部１３０は、中央に開口部を有する矩形枠状の形状を有する。規制部１３０の中央に形成された開口部は、光源１２に対応する形状を有し、当該開口部に光源１２が配置される。取付部材１３は、器具本体１１の取付部１１０ａに配置され、接続部材１４及びねじ１５によって、器具本体１１に固定される。より具体的には、取付部材１３の規制部１３０には、貫通孔１３２が形成されており、ねじ１５を、貫通孔１３２を介して器具本体１１に形成されたねじ穴に捻じ込むことにより、取付部材１３が器具本体１１に対して固定される。これにより、取付部材１３及びその開口部に配置された光源１２が器具本体１１に固定される。
【００３３】
第二係止部１３１は、反射部材１６を支持するための部材であり、反射部材１６の第二被係止部１６４を係止する。本実施の形態では、取付部材１３は、二つの第二係止部１３１を備える。第二係止部１３１は、略Ｌ字型の形状を有しており、第二係止部１３１の端部の光軸Ｊから離れる向き突出した傾斜面（突起）が、第二被係止部１６４に挿入されることにより、第二係止部１３１が第二被係止部１６４を係止する。
【００３４】
取付部材１３は、例えば、ＰＢＴ、ポリカーボネートなどの樹脂材料を用いて形成することができる。
【００３５】
［１−５．接続部材］
接続部材１４は、光源１２へ電流を供給する配線（図示せず）が接続される部材である。本実施の形態に係る照明器具１は、二つの接続部材１４を備え、一方の接続部材１４に高電位側の配線が、他方の接続部材１４に低電位側の配線が、それぞれ接続される。接続部材１４には、光源１２へ電流を供給する電極（不図示）が設けられている。当該電極が光源１２に形成された電極端子に接続される。
【００３６】
また、接続部材１４は、光源１２の位置を規制する機能も有する。接続部材１４には、ねじ１５が貫通する貫通孔が形成されており、当該貫通孔に挿入されたねじ１５によって、接続部材１４が器具本体１１及び取付部材１３に固定される。その際、図４に示されるように接続部材１４の光軸Ｊ側の部分が、光源１２を器具本体１１に向けて押さえることにより、光源１２の光軸方向（Ｙ軸方向）における位置を規制する。
【００３７】
接続部材１４の筐体は、例えば、ＰＢＴ、ポリカーボネートなどの樹脂材料を用いて形成することができる。また、接続部材１４の電極は、銅などの導電性部材を用いて形成することができる。
【００３８】
［１−６．光学部材］
光学部材３０は、灯体１０から出射された光が入射される透光性の部材である。本実施の形態では、光学部材３０は、図３及び図４に示されるように、配光制御部３００とフランジ部３１０とを備える。
【００３９】
配光制御部３００は、反射部材１６から入射された光の配光を制御して出射する機能を有する。本実施の形態では、配光制御部３００はフレネルレンズから構成される。また、配光制御部３００の光出射面３０１の少なくとも一部には、ディンプルが形成されている。ディンプルによって、光学部材３０から出射された光を拡散させることにより、照明器具１から出射される光の照度ムラ及び色ムラを抑制することができる。
【００４０】
フランジ部３１０は、光学部材３０が照明器具１から離脱することを抑制する機能を有する。当該機能については後で詳述する。フランジ部３１０には、第一被係止部（図１〜４では図示せず）が設けられている。光学部材３０は、第一被係止部が反射部材１６の第一係止部に係止されることによって灯体１０に支持される。第一被係止部については、後で詳述する。
【００４１】
光学部材３０は、透光性材料を用いて形成されており、例えばＰＭＭＡ（アクリル）、ポリカーボネートなどの透明樹脂材料、又は、ガラス材料などの透明材料を用いて形成することができる。
【００４２】
［１−７．枠体］
枠体４０は、光学部材３０から出射された光が入射される入射開口部４１１、及び、入射開口部４１１から入射された光が出射される出射開口部４１２を有する筒状の部材である。枠体４０は、補助反射部材４１０、枠本体４２０及び取付バネ４９０を備える。なお、図４には、入射開口部４１１を光軸Ｊ方向に投影した場合に、光学部材３０のフランジ部３１０に投影される像４１１ａも示される。図４に示されるように、光学部材３０の少なくとも一部は、像４１１ａより、光軸Ｊからの離れた位置に配置される。
【００４３】
補助反射部材４１０は、筒状の枠体４０の内周面に配置された筒状の部材である。補助反射部材４１０は、内側に補助反射面４１３を有し、照明器具１の配光を制御する機能を有する。本実施の形態では、補助反射部材４１０は、アルミニウムなどの薄い金属板で形成されている。補助反射部材４１０は、光軸Ｊ方向（Ｙ軸方向）の入射開口部４１１を、枠本体４２０の光軸方向における入射開口部にかしめることによって、枠本体４２０に固定されている。
【００４４】
枠本体４２０は、筒状の枠体４０の本体部である。枠本体４２０は、器具本体１１の筒状部１１０ｂと同程度の外径を有し、枠本体４２０のＹ軸方向正側端面が器具本体１１の筒状部１１０ｂのＹ軸方向負側端面に当接される。枠本体４２０のＹ軸方向正側の端面にはねじ穴（不図示）が形成され、当該ねじ穴にねじ５０が捻じ込まれることにより、枠本体４２０は、器具本体１１に締結される。枠本体４２０は、例えば、アルミニウムなどの金属で形成される。
【００４５】
取付バネ４９０は、照明器具１を天井などの被取付け部に取り付けるための弾性部材である。本実施の形態では、図２及び図３に示されるように、三つの取付バネ４９０が、枠本体４２０の外周面に設けられている。取付バネ４９０は、例えば、鉄などの金属で形成される。
【００４６】
［２．係止構成］
続いて、本実施の形態に係る照明器具１の構成要素間の係止構成について説明する。
【００４７】
［２−１．取付部材と反射部材との間の係止構成］
まず、取付部材１３と反射部材１６との係止構成について図４及び図５を用いて説明する。
【００４８】
図５は、本実施の形態に係る取付部材１３と反射部材１６との間の係止構成を示す斜視図である。
【００４９】
図４及び図５に示されるように、取付部材１３には、反射部材１６を係止する第二係止部１３１が設けられる。反射部材１６には、第二係止部１３１に係止される第二被係止部１６４が設けられる。反射部材１６は、第二被係止部１６４が第二係止部１３１に係止されることによって取付部材１３に支持される。これにより、本実施の形態では、締結部材を用いずに、反射部材１６を取付部材１３に容易に支持させることができる。
【００５０】
第二係止部１３１は、第二被係止部１６４にスナップ方式によって係止される。すなわち、第二係止部１３１を弾性変形させた状態で、第二被係止部１６４まで移動させ、弾性変形を解消させることによって、第二係止部１３１の端部が第二被係止部１６４に挿入される。以下、反射部材１６を取付部材１３に支持させる手順を具体的に説明する。図５に示されるように、器具本体１１にねじ１５によって締結された取付部材１３に対して、反射部材１６を光源１２の光軸Ｊ方向に移動させる。ここで、図４に示されるように、取付部材１３に設けられた二つの第二係止部１３１の反射部材１６側の端部には、光軸Ｊ方向に対して傾斜した傾斜面（突起）が形成されている。二つの第二係止部１３１の端部の傾斜面は、光源１２に近づくほど、光軸Ｊから遠ざかる。これにより、二つの第二係止部１３１の端部は、反射部材１６の二つの立設部１６３の間隙に、二つの立設部１６３と干渉することなく挿入される。一方、二つの第二係止部１３１が二つの立設部１６３の間隙にさらに挿入される（取付部材１３に反射部材１６がさらに近づけられる）場合には、二つの第二係止部１３１の光軸Ｊから遠ざかる向きに突出した部分が、二つの立設部１６３の光軸Ｊ側の面と干渉する。すなわち、各第二係止部１３１が立設部１６３によって、光軸Ｊ向きに押される。このため、二つの第二係止部１３１が光軸Ｊ向きに弾性変形する。二つの第二係止部１３１が、二つの立設部１６３の間隙にさらに挿入されることにより、二つの第二係止部１３１の各端部が第二被係止部１６４に挿入される。これにより、各第二係止部１３１の弾性変形が解消される。以上のように、第二係止部１３１の端部が第二被係止部１６４に挿入されることにより、第二被係止部１６４は、第二係止部１３１に係止される。つまり、第二被係止部１６４が、第二係止部１３１に対して、鉛直方向下向き（Ｙ軸方向負向き）に移動することが抑制される。
【００５１】
上述のとおり、第二係止部１３１によって第二被係止部１６４を係止する際に、第二係止部１３１を弾性変形させる必要があるため、第二係止部１３１にストレスがかかる。このようなストレスに加えて、照明器具１の搬送中の振動によるストレス、経年劣化などに起因して、樹脂で形成された第二係止部１３１が破損する場合があり得る。
【００５２】
［２−２．反射部材と光学部材との間の係止構成］
続いて、反射部材１６と光学部材３０との係止構成について図６〜８を用いて説明する。
【００５３】
図６は、本実施の形態に係る反射部材１６に光学部材３０が係止された状態を示す斜視図である。
【００５４】
図７は、本実施の形態に係る反射部材１６に光学部材３０が係止された状態を光軸Ｊ方向から見た平面図である。図７には、反射部材１６及び光学部材３０を、Ｙ軸方向負側から見た平面図が示されている。また、図７には、枠体４０の入射開口部４１１を光軸Ｊ方向に投影した場合に、光学部材３０のフランジ部３１０に投影される像４１１ａが破線で示される。
【００５５】
図８は、本実施の形態に係る反射部材１６及び光学部材３０の断面図である。図８においては、図７に示されるＶＩＩＩ−ＶＩＩＩ線における断面が示されている。
【００５６】
図６〜８に示されるように、反射部材１６のフランジ部１６２は、光学部材３０の光軸Ｊに垂直な方向（Ｙ軸に垂直な方向）への移動を規制する規制部１６５を有する。規制部１６５は、フランジ部１６２の周縁部付近の光学部材３０側（Ｙ軸方向負側）に立設されている。規制部１６５は、光学部材３０を光源１２の光軸Ｊ方向に見た場合における外縁３１５に沿って設けられる。これに伴い、反射部材１６を光軸Ｊ方向に見た場合における外縁１６８も光学部材３０の外縁３１５と同様の形状を有する。
【００５７】
規制部１６５は、光学部材３０を係止するための第一係止部１６６を有する。なお、本実施の形態では、規制部１６５は、三つの第一係止部１６６を有する。光学部材３０には、フランジ部３１０のＹ軸方向負側の面に、三つの第一被係止部３１１が設けられる。本実施の形態では、三つの第一被係止部３１１は、光学部材３０のフランジ部３１０のＹ軸方向負側に設けられた凹部である。図６〜８に示されるように、三つの第一被係止部３１１は、三つの第一係止部１６６と対応する位置に設けられる。光学部材３０は、各第一被係止部３１１が対応する第一係止部１６６に係止されることによって灯体１０に支持される。これにより、本実施の形態では、締結部材を用いずに、光学部材３０を灯体１０に容易に支持させることができる。
【００５８】
第一係止部１６６は、第一被係止部３１１にスナップ方式によって係止される。すなわち、第一係止部１６６を弾性変形させた状態で、第一被係止部３１１まで移動させ、弾性変形を解消させることによって、第一係止部１６６の端部が第一被係止部３１１に配置される。以下、光学部材３０を反射部材１６に支持させる手順を具体的に説明する。
【００５９】
光学部材３０を反射部材１６に支持させる際には、反射部材１６に対して、光学部材３０を光源１２の光軸Ｊ方向に移動させる。ここで、図６及び図８に示されるように、反射部材１６に設けられた三つの第一係止部１６６のＹ軸方向負側の端部には、光軸Ｊ方向に対して傾斜した傾斜面（突起）が形成されている。三つの第一係止部１６６のＹ軸方向負側端部の傾斜面は、光源１２に近づくほど、光軸Ｊに近づく。これにより、光学部材３０のフランジ部３１０のＹ軸方向正側端部は、三つの第一係止部１６６で囲まれる部分に、各第一係止部１６６と干渉することなく挿入される。一方、光学部材３０のフランジ部３１０と反射部材１６のフランジ部１６２とを近づける方向に、光学部材３０をさらに移動させる場合には、三つの第一係止部１６６の傾斜面が、光学部材３０の外周面と干渉する。すなわち、各第一係止部１６６が光学部材３０によって、光軸Ｊから遠ざかる向きに押される。このため、三つの第一係止部１６６が光軸Ｊから遠ざかる向きに弾性変形する。光学部材３０が、フランジ部３１０のＹ軸方向における厚さ程度の距離だけさらに移動されることにより、各第一係止部１６６の傾斜面が光学部材３０の各第一被係止部３１１を係止する位置に到達する。これにより、各第一係止部１６６の弾性変形が解消される。
【００６０】
以上のように、第一係止部１６６の端部が第一被係止部３１１を係止することにより、光学部材３０が、第一係止部１６６に対して、鉛直方向下向き（Ｙ軸方向負向き）に移動することが抑制される。
【００６１】
上述のとおり、第一係止部１６６によって第一被係止部３１１を係止する際に、第一係止部１６６を弾性変形させる必要があるため、上記第二係止部１３１と同様に、樹脂で形成された第一係止部１６６が破損する場合があり得る。
【００６２】
特に、光学部材３０がフレネルレンズである場合には、光学部材３０の厚さが比較的厚くなる。そのため、光学部材３０の重量も重くなるため、第一係止部１６６などに加わる力が大きくなる。したがって、第一係止部１６６などの破損が生じやすくなる。
【００６３】
［３．光学部材離脱抑制構成］
上述したとおり、樹脂で形成された第一係止部１６６及び第二係止部１３１が破損する場合があり得る。本実施の形態に係る照明器具１は、第一係止部１６６及び第二係止部１３１の少なくとも一方が破損した場合においても、光学部材３０及び反射部材１６が照明器具１から離脱することを抑制できる構成を有する。当該構成について、図４及び図７を用いて説明する。
【００６４】
図４及び図７に示される枠体４０の入射開口部４１１の像４１１ａは、照明器具１を光軸方向に見た場合における入射開口部４１１の配置に対応する。したがって、図４及び図７から分かるように、光学部材３０を光源１２の光軸Ｊ方向に見た場合に、光学部材３０の外縁３１５の少なくとも一部は、入射開口部４１１の外側に位置する。また、反射部材１６を光軸Ｊ方向に見た場合に、反射部材１６の外縁１６８の少なくとも一部は、入射開口部４１１の外側に位置する。これにより、第一係止部１６６及び第二係止部１３１が破損した場合においても、光学部材３０及び反射部材１６が、枠体４０の入射開口部４１１から抜け出ることが抑制される。したがって、光学部材３０及び反射部材１６の照明器具１からの離脱が抑制される。本実施の形態では、光学部材３０及び反射部材１６を光軸Ｊ方向に見た場合に、光学部材３０の外縁３１５及び反射部材１６の外縁１６８は、全周に亘って入射開口部４１１の外側に位置する。つまり、光学部材３０及び反射部材１６の外径は、入射開口部４１１の内径より大きい。これにより、光学部材３０及び反射部材１６の照明器具１からの離脱をより確実に抑制できる。
【００６５】
また、反射部材１６の外縁１６８が入射開口部４１１より外側に位置することにより、Ｙ軸方向負側から照明器具１を見た場合に、入射開口部４１１の内側には、反射部材１６、光学部材３０及び光源１２だけが見える。つまり、照明器具１の内部の配線などが、照明器具１の外部から見られることを抑制することができる。これにより、ユーザらが、照明器具１の内部の配線などに触れることを抑制できる。また、照明器具１の内部が見えない構成は、外観デザイン上も好ましい。
【００６６】
なお、本実施の形態では、図４に示されるように、入射開口部４１１において補助反射部材４１０が枠本体４２０の端部４２１においてかしめられていることに起因して、補助反射部材４１０の光学部材３０寄りの端部４１４の光軸Ｊ方向における平坦度が比較的低い。そのため、端部４１４を光学部材３０などに当接させる場合に、端部４１４の全周を光学部材３０に当接させることが難しい。そのため、本実施の形態では、枠体４０（端部４１４）を光学部材３０に当接させない構成が採用されている。なお、入射開口部４１１を光学部材３０又は反射部材１６に当接させる場合に生じる悪影響が少ない場合には、枠体４０（端部４１４）を光学部材３０に当接させてもよい。これにより、光学部材３０を枠体４０によって支持することができる。
【００６７】
［４．効果など］
以上のように、本実施の形態に係る照明器具１は、灯体１０と、枠体４０とを備える。枠体４０は、灯体１０から出射された光が入射される透光性の光学部材３０と、光学部材３０から出射された光が入射される入射開口部４１１、及び、入射開口部４１１から入射された光が出射される出射開口部４１２を有する筒状の枠体４０とを備える。灯体１０は、器具本体１１と、器具本体１１に取り付けられた光源１２と、光源１２からの光を光学部材３０に向けて反射させる反射部材１６とを備える。灯体１０には、光学部材３０を係止する第一係止部１６６が設けられ、光学部材３０には、第一被係止部３１１が設けられる。光学部材３０は、第一被係止部３１１が第一係止部１６６に係止されることによって灯体１０に支持され、光学部材３０を光源１２の光軸Ｊ方向に見た場合に、光学部材３０の外縁３１５の少なくとも一部は、入射開口部４１１の外側に位置する。
【００６８】
これにより、光学部材３０が照明器具１から離脱することを抑制できる。また、締結部材を用いずに、光学部材３０を灯体１０に容易に支持させることができる。
【００６９】
また、本実施の形態に係る照明器具１において、灯体１０は、光源１２の位置を規制する取付部材１３をさらに備え、取付部材１３には、反射部材１６を係止する第二係止部１３１が設けられてもよい。さらに、第一係止部１６６は、反射部材１６に設けられ、反射部材１６には、第二係止部１３１に係止される第二被係止部１６４が設けられ、反射部材１６は、第二被係止部１６４が第二係止部１３１に係止されることによって取付部材１３に支持されてもよい。
【００７０】
これにより、締結部材を用いずに、反射部材１６を取付部材１３に容易に支持させることができる。
【００７１】
また、本実施の形態に係る照明器具１において、第一係止部１６６及び第二係止部１３１の少なくとも一方は樹脂で形成されてもよい。
【００７２】
これにより、第一係止部１６６及び第二係止部１３１の少なくとも一方を容易に形成することができる。
【００７３】
また、本実施の形態に係る照明器具１において、反射部材１６を光軸Ｊ方向に見た場合に、反射部材１６の外縁１６８は、入射開口部４１１の外側に位置してもよい。
【００７４】
これにより、反射部材１６が照明器具１から離脱することを抑制できる。また、反射部材１６の外縁１６８が入射開口部４１１より外側に位置することにより、Ｙ軸方向負側から照明器具１を見た場合に、入射開口部４１１の内側には、反射部材１６、光学部材３０及び光源１２だけが見える。つまり、照明器具１の内部の配線などが、照明器具１の外部から見られることを抑制することができる。これにより、ユーザなどが、照明器具１の内部の配線などに触れることを抑制できる。また、照明器具１の内部が見えない構成は、外観デザイン上も好ましい。
【００７５】
また、本実施の形態に係る照明器具１において、光学部材３０はフレネルレンズであってもよい。
【００７６】
光学部材３０がフレネルレンズである場合には、光学部材３０の厚さが比較的厚くなる。そのため、光学部材３０の重量も重くなるため、第一係止部１６６などに加わる力が大きくなる。したがって、第一係止部１６６などの破損が生じやすくなるため、本実施の形態に係る照明器具１の構成が特に有効である。
【００７７】
（変形例など）
以上、本発明に係る照明器具１について、実施の形態に基づいて説明したが、本発明は、これらの実施の形態に限定されるものではない。
【００７８】
例えば、上記実施の形態では、光学部材３０は、フレネルレンズであったが、光学部材３０はこれに限定されない。光学部材３０は、例えば、ハイブリッドレンズ、ドーム型レンズ、平板（配光制御をしないカバー）などでもよい。
【００７９】
また、上記実施の形態では、第一係止部１６６は、反射部材１６に設けられたが、第一係止部１６６は、灯体１０の一部に形成されればよい。
【００８０】
また、上記実施の形態では、第一係止部１６６及び第二係止部１３１が突起を有する構成が示されたが、各係止構成は、特に限定されない。例えば、第一被係止部３１１及び第二被係止部１６４が突起を有してもよい。
【００８１】
また、上記実施の形態においては、光源１２において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【００８２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００８３】
１  照明器具
１０  灯体
１１  器具本体
１２  光源
１３  取付部材
１６  反射部材
３０  光学部材
４０  枠体
１３１  第二係止部
１６４  第二被係止部
１６６  第一係止部
１６８、３１５  外縁
３１１  第一被係止部
４１１  入射開口部
４１２  出射開口部
Ｊ  光軸
【図１】
2017004823.tif 000003
【図２】
2017004823.tif 000004
【図３】
2017004823.tif 000005
【図４】
2017004823.tif 000006
【図５】
2017004823.tif 000007
【図６】
2017004823.tif 000008
【図７】
2017004823.tif 000009
【図８】
2017004823.tif 000010